(57)【要約】【課題】工具掛け部を備える液体吐出器具において、意匠性を向上できる液体吐出器具を提供すること。【解決手段】液体吐出器具３０は、本体部３１と、本体部３１に対して着脱可能に設けられる吐出口部３４と、を有し、吐出口部３４は、吐出口部３４の内周面における吐出口部３４の先端よりも液体の吐出方向Ｔの上流側に配置される工具掛け部４３２ｂを備える。また、工具掛け部３４２ｂは、多角形状に形成されることが好ましい。また、吐出口部３４は、工具掛け部３４２ｂにおける液体の吐出方向Ｔの上流側に配置され工具掛け部３４２ｂの開口面積よりも小さい開口面積の絞り部３４２ａを有する。【選択図】図３
2018021317.tif 000002
【特許請求の範囲】
【請求項１】
本体部と、前記本体部に対して着脱可能に設けられる吐出口部と、を有し、
前記吐出口部は、前記吐出口部の内周面における該吐出口部の先端よりも液体の吐出方向の上流側に配置される工具掛け部を備える液体吐出器具。
【請求項２】
前記工具掛け部は、多角形状に形成される請求項１に記載の液体吐出器具。
【請求項３】
前記吐出口部は、前記工具掛け部における液体の吐出方向の上流側に配置され前記工具掛け部の開口面積よりも小さい開口面積の絞り部を有する請求項１又は２に記載の液体吐出器具。
【請求項４】
前記吐出口部は、前記工具掛け部における液体の吐出方向の下流側に配置され前記工具掛け部の開口面積よりも大きい開口面積の円筒状の先端側開口内面部を有する請求項１から３のいずれかに記載の液体吐出器具。
【請求項５】
前記本体部は、後方に向かうにしたがって下方に向かうように傾斜して延びると共に前記吐出口部が突出した状態で配置される傾斜面部を有する請求項１から４のいずれかに記載の液体吐出器具。
【発明の詳細な説明】
【技術分野】
【０００１】
本発明は、工具掛け部を備える液体吐出器具に関する。
【背景技術】
【０００２】
従来、本体部と、本体部に対して着脱可能に設けられる吐出口部とを有し、吐出口部の先端に工具掛け部が設けられる液体吐出器具が知られている（例えば、特許文献１参照）。特許文献１に記載の工具掛け部は、吐出口部の先端において切り欠き状に形成される。メンテナンス作業を行う管理者は、切り欠き状の工具掛け部に工具を掛けて、本体部から吐出口部を着脱して、液体吐出器具のメンテナンスを行う。
【先行技術文献】
【特許文献】
【０００３】
【特許文献１】特開平１０−１８３７０２号公報
【発明の概要】
【発明が解決しようとする課題】
【０００４】
特許文献１に記載の液体吐出器具においては、切り欠き状の工具掛け部が、外部から視認されるため、意匠性を低下させていた。
【０００５】
本発明は、工具掛け部を備える液体吐出器具において、意匠性を向上できる液体吐出器具を提供することを目的とする。
【課題を解決するための手段】
【０００６】
本発明は、本体部（例えば、後述の器具本体３１）と、前記本体部に対して着脱可能に設けられる吐出口部（例えば、後述の吐出口部３４）と、を有し、前記吐出口部は、前記吐出口部の内周面における該吐出口部の先端よりも液体の吐出方向（例えば、後述の吐出方向Ｔ）の上流側に配置される工具掛け部（例えば、後述の工具掛け内面部３４２ｂ）を備える液体吐出器具（例えば、後述の水石鹸吐出器具３０）に関する。
【０００７】
また、前記工具掛け部は、多角形状に形成されることが好ましい。
【０００８】
また、前記吐出口部は、前記工具掛け部における液体の吐出方向の上流側に配置され前記工具掛け部の開口面積よりも小さい開口面積の絞り部（例えば、後述の絞り内面部３４２ａ）を有することが好ましい。
【０００９】
また、前記吐出口部は、前記工具掛け部における液体の吐出方向の下流側に配置され前記工具掛け部の開口面積よりも大きい開口面積の円筒状の先端側開口内面部（例えば、後述の先端側開口内面部３４２ｃ）を有することが好ましい。
【００１０】
また、前記本体部は、後方に向かうにしたがって下方に向かうように傾斜して延びると共に、前記吐出口部が突出した状態で配置される傾斜面部（例えば、後述の傾斜面部３７３）と、を有することが好ましい。
【発明の効果】
【００１１】
本発明によれば、工具掛け部を備える液体吐出器具において、意匠性を向上できる液体吐出器具を提供することができる。
【図面の簡単な説明】
【００１２】
【図１】本発明の一実施形態に係る手洗装置の全体斜視図である。
【図２】本発明の一実施形態に係る水石鹸吐出装置の水石鹸吐出器具を示す斜視図である。
【図３】図２における水石鹸吐出器具の器具本体から吐出口部を取り外した状態を示す斜視図である。
【図４】本発明の一実施形態に係る水石鹸吐出器具の縦断面図である。
【図５】吐出口部を正面から視た正面図である。
【図６】水石鹸吐出器具の使用者から視認される吐出口部を示す図であって斜め上方から吐出口部を視た図である。
【発明を実施するための形態】
【００１３】
以下、本発明の一実施形態について、図面を参照しながら説明する。なお、本発明は以下の実施形態に限定されるものではない。図１は、本発明の一実施形態に係る手洗装置１の全体斜視図である。図２は、本発明の一実施形態に係る水石鹸吐出装置３の水石鹸吐出器具３０を示す斜視図である。図３は、図２における水石鹸吐出器具３０の器具本体３１から吐出口部３４を取り外した状態を示す斜視図である。図４は、本発明の一実施形態に係る水石鹸吐出器具３０の縦断面図である。図５は、吐出口部３４を正面から視た正面図である。図６は、水石鹸吐出器具３０の使用者から視認される吐出口部３４を示す図であって斜め上方から吐出口部３４を視た図である。
【００１４】
本実施形態に係る水石鹸吐出装置３は、例えば鉄道の駅等の公共施設のトイレや洗面所に設置される手洗装置１に自動水栓等の吐水装置と共に設置され、人の手等の物体をセンサで検知し、その検知信号に基づいて自動的に水石鹸の吐出を行うものである。
【００１５】
図１に示すように、本実施形態に係る手洗装置１は、吐水装置２０と、水石鹸吐出装置３と、ボウル１０１と、台１１０と、を備える。水石鹸吐出装置３（液体吐出装置）は、本発明に係る水石鹸吐出器具３０（液体吐出器具）と、水石鹸供給部４０と、エア供給部５０と、制御ユニット６０と、水石鹸吐出装置３の一部を収容する金属筐体７０と、を有する。
【００１６】
台１１０は、手洗装置１における下部を構成する。台１１０の内部には、水石鹸吐出装置３の一部が金属筐体７０に囲まれた状態で収容され、かつ、図示しない排水管やその他の配管等の設備機器が収容される。
また、台１１０の上方において、手洗部１０が配置されている。手洗部１０は、ボウル１０１と、吐水装置２０と、水石鹸吐出器具３０と、を含んで構成される。
【００１７】
吐水装置２０は、吐水装置本体２１の先端側に、物体を検知するセンサ２２と、吐水口２３と、を有する。吐水装置２０は、人の手等の物体がセンサ２２の検知範囲内に入ることでセンサ２２が物体を検知すると、自動的に吐水口２３から水（あるいは湯）を吐出する。
【００１８】
水石鹸吐出器具３０は、図１に示すように、器具本体３１（本体部）の先端側に、物体を検知するセンサ３２と、光を照射する報知ＬＥＤ３３と、吐出口部３４と、を有する。水石鹸吐出器具３０は、後述する水石鹸吐出装置３の一部を構成する。水石鹸吐出器具３０の内部構造については後述する。
【００１９】
吐出口部３４は、水石鹸（液体）と空気が混合されることで形成される泡を先端部から吐出する。
【００２０】
センサ３２は、後述する制御ユニット６０と電気的に接続されており、物体を検知すると検知信号を制御ユニット６０に送信する。水石鹸吐出器具３０は、人の手等の物体がセンサ３２の検知範囲内に入ることでセンサ３２が物体を検知すると、自動的に吐出口部３４から水石鹸を吐出する。
【００２１】
報知ＬＥＤ３３は、水石鹸を貯留する水石鹸タンク４１への水石鹸の補充のタイミングを報知する。報知ＬＥＤ３３は、後述する制御ユニット６０と電気的に接続されており、液位センサ（図示せず）に検知される水石鹸の液位信号が入力された制御ユニット６０から出力された信号に基づいて、水石鹸タンク４１への水石鹸の補充のタイミングを、例えば、点滅、点灯及び消灯により報知する。報知ＬＥＤ３３は、例えば、ＬＥＤ（Ｌｉｇｈｔ  Ｅｍｉｔｔｉｎｇ  Ｄｉｏｄｅ）で構成される。
【００２２】
ボウル１０１は、吐水装置２０から吐水され手洗いに使用された水や、水石鹸吐出器具３０から吐出され手洗いに使用された水石鹸を受けて排出する。ボウル１０１の略中央の窪みには排水口１０２が形成されている。排水口１０２は、図示しない排水管と連通している。ボウル１０１が受けた水や水石鹸は、排水口１０２に導かれ、排水口１０２から排水管を通じて下水道等の外部に排出される。
【００２３】
本実施形態に係る水石鹸吐出装置３の構成について説明する。
水石鹸吐出装置３は、図１に示すように、水石鹸吐出器具３０と、水石鹸供給部４０と、エア供給部５０と、制御ユニット６０と、水石鹸供給部４０の一部及び制御ユニット６０を収容する金属筐体７０と、を有する。
【００２４】
水石鹸供給部４０は、水石鹸タンク４１（タンク）と、水石鹸用ポンプ４２（ポンプ）と、水石鹸供給管４３と、を備える。水石鹸タンク４１は、水石鹸吐出器具３０に供給される水石鹸を貯留する。
【００２５】
金属筐体７０は、水石鹸供給部４０の水石鹸タンク４１、水石鹸用ポンプ４２及び制御ユニット６０を収容した状態で、例えば、図１に示すように、台１１０の内部の下部に配置される。金属筐体７０は、金属材料により形成される。
【００２６】
水石鹸供給管４３は、水石鹸タンク４１と水石鹸吐出器具３０とを接続する配管であり、水石鹸が流通する。水石鹸供給管４３の途中には、水石鹸用ポンプ４２が設けられている。
水石鹸用ポンプ４２は、水石鹸タンク４１に貯留された水石鹸を水石鹸吐出器具３０に向けて送出する。
【００２７】
エア供給部５０は、エアポンプ５１と、空気供給管５２と、を備える。空気供給管５２は、水石鹸吐出器具３０に水石鹸の泡を形成するための空気を供給する配管である。エアポンプ５１は、モータ等の駆動部を有し、駆動部を駆動させることで空気を圧縮し、空気供給管５２を通じて空気を下流側に圧送する。エアポンプ５１は制御ユニット６０と電気的に接続されており、制御ユニット６０から送信される制御信号に基づいて、空気を水石鹸吐出器具３０に供給する。
【００２８】
制御ユニット６０は、ＣＰＵ及びメモリを含んで構成され、水石鹸吐出器具３０や水石鹸用ポンプ４２やエアポンプ５１の動作を制御することで、水石鹸吐出装置３を制御する。制御ユニット６０は、制御用ＩＣや、制御用ＩＣなどが実装される回路基板を備える。
制御ユニット６０は、センサ３２からの検知信号に基づき水石鹸用ポンプ４２及びエアポンプ５１に制御信号を送信する。
制御ユニット６０は、液位センサ（図示せず）が水石鹸タンク４１に貯留される水石鹸の液位の低下を検知した場合に、検知結果を点滅又は点灯して報知するように、報知ＬＥＤ３３を制御する。
【００２９】
水石鹸吐出器具３０の詳細及び内部構造について説明する。
水石鹸吐出器具３０は、図２及び図３に示すように、器具本体３１と、吐出口部３４と、を備える。吐出口部３４は、器具本体３１に対して着脱可能に設けられる。
【００３０】
まず、器具本体３１について説明する。
器具本体３１は、図４に示すように、センサ３２及び報知ＬＥＤ３３を含むセンサユニット３２０と、保持部材３５と、接続部材３６と、本体ケース３７と、を備える。
【００３１】
本体ケース３７は、図２〜図４に示すように、略円筒状の金属部材である。本体ケース３７の内部には、センサユニット３２０、保持部材３５及び接続部材３６が収容される。
本体ケース３７は、筒状周面部３７１と、先端側の上部に形成される先端面部３７２と、先端側の下部に形成される傾斜面部３７３と、を有する。
【００３２】
筒状周面部３７１は、図２に示すように、基端部３７１ａから先端側に延びる円筒状に形成される。筒状周面部３７１は、基端部３７１ａ側が開口しており、先端側には、先端面部３７２及び傾斜面部３７３が設けられる。
【００３３】
先端面部３７２は、本体ケース３７の先端の上部に配置され、上下方向に延びる。先端面部３７２は、上方側が凸となる略半円形状の板状に形成される。
【００３４】
傾斜面部３７３は、本体ケース３７の先端の下部に形成される。傾斜面部３７３は、先端面部３７２の下端部から、基端部３７１ａ側の後方に向かうにしたがって下方に向かうように傾斜して延びる。傾斜面部３７３は、下方側が凸となる略半円形状に形成される。
【００３５】
傾斜面部３７３は、略半円形状の枠状に形成される枠部３７３ａと、枠部３７３ａの内側に配置される化粧カバー３７３ｂと、を有する。化粧カバー３７３ｂは、枠部３７３ａの内側の部分の形状に対応した略半円形状の板状に形成される。
【００３６】
化粧カバー３７３ｂは、センサ開口部３７３ｃと、吐出口部用開口部３７３ｅと、を有する。センサ開口部３７３ｃは、傾斜面部３７３における斜面の上方側に形成される。吐出口部用開口部３７３ｅは、傾斜面部３７３の斜面における下方側に形成される。
【００３７】
センサ開口部３７３ｃは、下端の角部の両方がカットされた長方形状に開口して形成される。センサ開口部３７３ｃには、透過性を有する材料により形成されたセンサ窓部材３７３ｄが配置される。センサ窓部材３７３ｄは、センサユニット３２０の一部を構成し、センサ窓部材３７３ｄの内部側には、センサ３２及び報知ＬＥＤ３３が配置される。
【００３８】
吐出口部用開口部３７３ｅは、円形状に開口して形成される。吐出口部用開口部３７３ｅには、吐出口部３４が器具本体３１に装着される場合に、吐出口部３４が挿入される。
【００３９】
保持部材３５は、図４に示すように、本体ケース３７の内部に配置され、センサユニット３２０を保持し、吐出口部３４を着脱可能に保持する。保持部材３５は、樹脂製の部材により形成される。保持部材３５は、後述の接続部材３６と接続される。保持部材３５と接続部材３６との間には、Ｏリング３５５が配置されている。
【００４０】
保持部材３５は、円柱状に形成されると共に先端側に向かうに従って下る下り傾斜で突出する取付円柱部３５１と、取付円柱部３５１を軸方向に貫通すると共に保持部材３５の内部に連通する流通路３５２と、センサユニット３２０を保持して収容するセンサ収容部３５３と、を有する。
【００４１】
センサ収容部３５３は、本体ケース３７における傾斜面部３７３のセンサ開口部３７３ｃに連通するように形成される。センサ収容部３５３は、センサユニット３２０の外形とほぼ同じ形状及び大きさの凹形状に形成される。センサ収容部３５３にセンサユニット３２０が挿入されることで、センサユニット３２０は保持部材３５に保持される。
【００４２】
取付円柱部３５１は、傾斜面部３７３に形成される吐出口部用開口部３７３ｅから本体ケース３７の内部側に入った位置に配置される。取付円柱部３５１は、吐出口部用開口部３７３ｅに吐出口部３４を挿入した状態で、吐出口部３４の基端側の端部を接続可能な位置に形成される。取付円柱部３５１に吐出口部３４を接続した状態において、吐出口部３４は、先端側が下る下り傾斜して配置され、傾斜面部３７３の表面から、前方に向かうに従って下るように斜め下方に突出した状態で配置される。
【００４３】
取付円柱部３５１の外周面３５１ａには、ネジ溝が形成される。取付円柱部３５１の外周面３５１ａのネジ溝は、後述する吐出口部３４の上流端内周面３４１ａのネジ溝に螺合される。
【００４４】
取付円柱部３５１の外周には、Ｏリング３５４が装着される。Ｏリング３５４は、吐出口部３４が取付円柱部３５１に接続された状態において、取付円柱部３５１と吐出口部３４との間に配置されて、取付円柱部３５１と吐出口部３４との間において水石鹸（空気と混合された泡状のものを含む）を止水する。
【００４５】
流通路３５２には、水石鹸（空気と混合された泡状のものを含む）が流通される。流通路３５２は、保持部材３５の内部で屈曲した構造を有し、接続部材３６に通じる水平方向に延びる上流側の上流側流路（図示せず）と、吐出口部３４に通じる斜め下方向に延びる下流側の下流側流路３５２ａと、を有する。
下流側流路３５２ａは、取付円柱部３５１を軸方向に貫通し、取付円柱部３５１の先端において開口する。
【００４６】
接続部材３６は、上流側に水石鹸供給管４３及び空気供給管５２が接続され、下流側に保持部材３５が接続される。接続部材３６の内部には、水石鹸及び空気の流通路（図示せず）が形成さる。また、接続部材３６は、水石鹸と空気を混合させる混合部（図示せず）を備える。
【００４７】
以上の保持部材３５及び接続部材３６によれば、水石鹸は、接続部材３６を通じて保持部材３５に供給され、保持部材３５内の流通路３５２を通じて取付円柱部３５１から吐出口部３４に供給される。
【００４８】
次に、吐出口部３４について説明する。
吐出口部３４は、図３に示すように、器具本体３１に対して着脱可能である。吐出口部３４は、筒状に形成され、水石鹸が吐出される吐出方向Ｔの下流側の先端に開口が形成された部材である。吐出口部３４は、図３及び図４に示すように、上流側筒状部３４１と、下流側筒状部３４２と、を備える。上流側筒状部３４１と下流側筒状部３４２とは、水石鹸の吐出方向Ｔの上流側から下流側に並んで連続して配置されている。
【００４９】
上流側筒状部３４１は、図３及び図４に示すように、吐出口部３４における吐出方向Ｔの上流側の部分を構成する。上流側筒状部３４１は、円筒状に形成される。上流側筒状部３４１は、吐出口部３４が器具本体３１に装着された場合に、本体ケース３７の内部に配置される。上流側筒状部３４１は、上流側の端部が開口し、下流側の端部には下流側筒状部３４２が接続されている。
【００５０】
上流側筒状部３４１の上流側の端部の上流端内周面３４１ａには、ネジ溝が形成される。上流側筒状部３４１の上流端内周面３４１ａのネジ溝は、取付円柱部３５１の外周面３５１ａのネジ溝に螺合される。吐出口部３４の上流端内周面３４１ａのネジ溝が取付円柱部３５１のネジ溝に螺合することで、吐出口部３４は、保持部材３５に保持される。
【００５１】
上流側筒状部３４１の内部における上流端内周面３４１ａよりも吐出方向Ｔの下流側の下流側内周面３４１ｂの内側には、筒状のメッシュ部材３８が収容される。メッシュ部材３８は、空気と混合され、泡状となった水石鹸を更にきめ細かな泡とするために用いられる。メッシュ部材３８は、水石鹸と空気とが混合された泡が流通する部材であるため、泡が乾燥することで詰まり等の不具合が発生しやすく、定期的なメンテナンスを必要とする。吐出口部３４を器具本体３１から取り外すことで、吐出口部３４の内部に収容されたメッシュ部材３８を取り外してメッシュ部材３８のメンテナンスを行うことができる。
【００５２】
下流側筒状部３４２は、図３及び図４に示すように、吐出口部３４における吐出方向Ｔの下流側の部分を構成する。下流側筒状部３４２は、上流側筒状部３４１よりも外形の径が小さい円筒状に形成される。下流側筒状部３４２は、吐出口部３４が器具本体３１に装着された場合に、本体ケース３７の外部に向けて、本体ケース３７の傾斜面部３７３から、前方に向かうに従って下るように斜め下方に突出した状態で配置される。吐出口部３４は、先端側が下る下り傾斜した状態で、器具本体３１に装着されている。
【００５３】
下流側筒状部３４２の内周面は、絞り部としての絞り内面部３４２ａと、工具掛け部としての工具掛け内面部３４２ｂと、先端側開口内面部３４２ｃと、を有する。図３及び図４に示すように、絞り部としての絞り内面部３４２ａ、工具掛け内面部３４２ｂ、及び、先端側開口内面部３４２ｃは、水石鹸の吐出方向Ｔの上流側から下流側に向けて、この順に形成される。
【００５４】
絞り内面部３４２ａは、工具掛け内面部３４２ｂにおける水石鹸の吐出方向Ｔの上流側に配置され、工具掛け内面部３４２ｂの開口面積よりも小さい開口面積を有する。絞り内面部３４２ａは、吐出口部３４が水石鹸を吐出する際における水石鹸の流速を高めるために、ある程度小さい開口面積により形成される。
【００５５】
工具掛け内面部３４２ｂは、絞り内面部３４２ａよりも水石鹸の吐出方向Ｔの下流側であって、先端側開口内面部３４２ｃよりも水石鹸の吐出方向Ｔの上流側に形成されている。そのため、工具掛け内面部３４ｂは、吐出口部３４の内周面における吐出口部３４の先端よりも水石鹸の吐出方向Ｔの上流側に配置される。つまり、工具掛け内面部３４２ｂは、吐出口部３４の先端から奥まった位置に形成されている。
【００５６】
工具掛け内面部３４２ｂは、図５に示すように、水石鹸の吐出方向Ｔに視た場合に（吐出口部３４を正面から視た場合に）、例えば、少なくとも１つの平面部を有する六角形状に形成される。なお、本実施形態においては、工具掛け内面部３４２ｂを六角形の形状に形成したが、これに限定されない。工具掛け内面部３４２ｂは、工具を引っ掛けることが可能なように、少なくとも１つの平面部を有して形成されていればよい。例えば、三角形以上の多角形状に形成してもよいし、１つの平面部を有したＤ文字の形状であってもよいし、２つ以上の平面部と曲面部とを備える形状であってもよい。
【００５７】
先端側開口内面部３４２ｃは、図３及び図４に示すように、工具掛け内面部３４２ｂにおける水石鹸の吐出方向Ｔの下流側に配置され、工具掛け内面部３４２ｂの開口面積よりも大きい開口面積の円筒状に形成される。先端側開口内面部３４２ｃは、図６に示すように、水石鹸吐出器具３０の使用者が使用する場合に、使用者が斜め上方から吐出口部３４を視た場合に視認される意匠面を構成する。先端側開口内面部３４２ｃは、使用者が吐出口部３４を視た場合に使用者に視認される部分において、意匠性を向上させるために、切り欠きや凹凸を有さない内周面で形成される。
【００５８】
以上のように構成される吐出口部３４においては、メンテナンス作業を行う管理者は、器具本体３１から吐出口部３４を取り外す場合には、六角レンチ等の工具を、工具掛け内面部３４２ｂに差し込んで、吐出口部３４を回転操作する。これにより、器具本体３１の取付円柱部３５１の外周面３５１ａのネジ溝から、吐出口部３４の上流側筒状部３４１の上流端内周面３４１ａのネジ溝の螺合を外して、器具本体３１から吐出口部３４を取り外すことができる。これにより、メッシュ部材３８を交換するメンテナンスを行うことができる。
【００５９】
ここで、図６に示すように、水石鹸吐出器具３０の使用者が吐出口部３４を視認する場合には、吐出口部３４を斜め上方の位置から視認するため、吐出口部３４の先端において、先端側開口内面部３４２ｃは視認されるが、先端側開口内面部３４２ｃよりも上流側に配置される工具掛け内面部３４２ｂは視認されにくい。
【００６０】
また、工具掛け内面部３４２ｂは、少なくとも１つの平面部を有する六角形状に形成される。これにより、工具を平面部に引っ掛けることができるため、メンテナンス作業を行う管理者は、吐出口部３４を回転させやすい。そのため、メンテナンス性を向上できる。特に工具掛け内面部３４２ｂが六角形状のような多角形状に形成される場合には、２つ以上の平面を有する多角形状に形成されるため、メンテナンス性を更に向上できる。
【００６１】
また、吐出口部３４は、本体ケース３７の傾斜面部３７３に設けられている。傾斜面部３７３は、基端部３７１ａ側の後方に向かうにしたがって下方に向かうように傾斜している。吐出口部３４は、先端側が下る下り傾斜して形成され、傾斜面部３７３の表面から、前方に向かうに従って下るように斜め下方に突出した状態で配置される。このため、水石鹸吐出器具３０の使用者にとっては、工具掛け内面部３４２ｂを視認しにくい。一方、メンテナンス作業を行う管理者にとっては、少し屈むことで傾斜面部３７３に対面できるので、工具掛け内面部３４２ｂを視認しやすい。
【００６２】
以上説明した本実施形態に係る水石鹸吐出器具３０によれば、以下のような効果を奏する。
本実施形態に係る水石鹸吐出器具３０は、器具本体３１と、器具本体３１に対して着脱可能に設けられる吐出口部３４と、を有し、吐出口部３４の内周面における吐出口部３４の先端よりも水石鹸の吐出方向Ｔの上流側に配置される工具掛け内面部３４２ｂを備える。
そのため、吐出口部３４の内周面において、吐出口部３４の先端よりも水石鹸の吐出方向Ｔの上流側に工具掛け内面部３４２ｂを設けたため、工具掛け内面部３４２ｂは、外部から視認しにくい。よって、意匠性を向上できる。特に、吐出口部３４の開口の周囲の部分に工具を掛けるための切り込みを入れる場合や、吐出口部をネジで固定するために別のネジ部材を配置する場合よりも、意匠性を向上できる。
【００６３】
また、吐出口部３４の内周面において、吐出口部３４の先端よりも水石鹸の吐出方向Ｔの上流側に工具掛け内面部３４２ｂを設けたため、吐出口部３４の外側に工具を掛けるための切り込みを入れる場合と比べて、吐出口部３４の開口の周囲に切り込みを形成する必要がないため、吐出口部３４の開口の周囲の肉厚を薄くすることができる。これにより、吐出口部３４の開口の周囲の肉厚を薄くすることで、吐出口部３４の外形をコンパクトに形成することや、又は、吐出口部３４の外形の大きさはそのままで、開口面積を大きくすることができる。
【００６４】
また、吐出口部３４の外側に工具を掛けるための切り込みを入れる場合と比べて、吐出口部３４の開口の周囲に切り込みを形成する必要がないため、吐出口部３４の先端が汚れることを低減できる。これにより、汚れを除去するためのメンテナンスの回数を低減できる。
【００６５】
また、本実施形態に係る水石鹸吐出器具３０においては、工具掛け部３４２ｂは、少なくとも１つの平面部を有する形状に形成される。そのため、吐出口部３４の内面の少なくとも１つの平面部に工具を引っ掛けるだけで、吐出口部３４を回転操作できるため、メンテナンスを容易に行うことができる。
【００６６】
また、本実施形態に係る水石鹸吐出器具３０においては、吐出口部３４は、工具掛け内面部３４２ｂにおける水石鹸の吐出方向Ｔの上流側に配置され工具掛け内面部３４２ｂの開口面積よりも小さい開口面積の絞り内面部３４２ａを有する。そのため、開口面積の小さい絞り内面部３４２ａにより流速が高められた水石鹸が工具掛け内面部３４２ｂを通過しても、絞り内面部３４２ａよりも工具掛け内面部３４２ｂの開口面積が大きいため、水石鹸の吐出の乱れを起こりにくくすることができる。
【００６７】
また、本実施形態に係る水石鹸吐出器具３０においては、吐出口部３４は、工具掛け内面部３４２ｂにおける水石鹸の吐出方向Ｔの下流側に配置され工具掛け内面部３４２ｂの開口面積よりも大きい開口面積の円筒状の先端側開口内面部３４２ｃを有する。そのため、工具掛け内面部３４２ｂよりも開口面積の大きい先端側開口内面部３４２ｃは、工具掛け内面部３４２ｂよりも吐出口部３４の先端側に配置される。これにより、水石鹸吐出器具３０の使用者が吐出口部３４を視認しても、使用者には、先端側開口内面部３４２ｃが視認されて、工具掛け内面部３４２ｂは視認されにくい。その結果、工具掛け内面部３４２ｂは、より目立ちにくくなる。よって、意匠性をより向上できる。
【００６８】
また、本実施形態に係る水石鹸吐出器具３０においては、器具本体３１は、後方に向かうにしたがって下方に向かうように傾斜して延びると共に吐出口部３４が突出した状態で配置される傾斜面部３７３を有する。そのため、吐出口部３４が傾斜面部３７３に配置されるため、水石鹸吐出器具３０の使用者からは工具掛け内面部３４２ｂを視認しにくいが、メンテナンス作業を行う管理者にとっては、少し屈むことで傾斜面部３７３に対面できるので、工具掛け内面部３４２ｂを視認しやすい。これにより、水石鹸吐出器具３０の使用者にとっては、工具掛け内面部３４２ｂを視認しにくくして意匠性を向上させつつ、メンテナンス作業を行う管理者にとっては、傾斜面部３７３に対面することで工具掛け内面部３４２ｂを視認しやすくしてメンテナンスを容易に行うことができる。
【００６９】
本発明は上記実施形態に限定されるものではなく、本発明の目的を達成できる範囲での変形、改良等は本発明に含まれる。
例えば、前記実施形態においては、水石鹸吐出装置３の水石鹸吐出器具３０の吐出口部３４の工具掛け部について説明したが、これに限定されない。例えば、水栓の吐水口部の工具掛け部や、トイレに使用される洗浄装置などの洗浄水吐出器具の吐出口部の工具掛け部に適用してもよい。
【００７０】
また、前記実施形態においては、先端面部３７２を上下方向に延びる構成としたが、上下方向は、垂直方向であってもよいし、垂直方向から僅かに傾いた方向であってもよい。
【符号の説明】
【００７１】
３０  水石鹸吐出器具（液体吐出器具）
３１  器具本体（本体部）
３４  吐出口部
３４２ａ  絞り内面部（絞り部）
３４２ｂ  工具掛け内面部（工具掛け部）
３４２ｃ  先端側開口内面部
３７２  先端面部
３７３  傾斜面部
Ｔ  吐出方向
【図１】
2018021317.tif 000003
【図２】
2018021317.tif 000004
【図３】
2018021317.tif 000005
【図４】
2018021317.tif 000006
【図５】
2018021317.tif 000007
【図６】
2018021317.tif 000008